(57)【要約】【課題】コンセントの製造コストを大幅に低減することができ、また、コンセントのケースに配線器具を最大数配置することができ、コンセントの異常時に電力の供給を遮断するか遮断しないか選択できる配線器具を提供する。【解決手段】配線器具１は、電力線が接続される接続端子３，３と、コンセント２１に電力を供給するための非遮断用送り端子４ａ，４ａ及び遮断用送り端子４ｂ，４ｂと、コンセント２１の異常を検出するセンサ２５の出力線２８が接続される入力端子６と、入力端子６から入力された信号を異常と判定した場合に警報信号と遮断信号を出力する制御回路８と、警報信号により作動する警報手段９と、遮断信号により遮断用送り端子４ｂ，４ｂへの電力の供給を遮断する遮断手段１０とを備える。【選択図】図２
2008016358.tif 000002
【特許請求の範囲】
【請求項１】
電力線が接続される接続端子と、該接続端子に電気的に接続されて別体のコンセントに電力を供給するための遮断用送り端子及び非遮断用送り端子と、前記別体のコンセントに設けられた異常検出手段の出力線が接続される入力端子と、該入力端子に入力された信号を異常と判定した場合に警報信号と遮断信号を出力する制御回路と、該制御回路の警報信号により作動する警報手段と、前記制御回路の遮断信号により前記遮断用送り端子への電力の供給を遮断する遮断手段とを備えたことを特徴とする配線器具。
【請求項２】
前記制御回路の警報信号を外部に出力する警報出力端子を備えたことを特徴とする請求項１に記載の配線器具。
【請求項３】
前記入力端子は非遮断用入力端子と遮断用入力端子とで成り、前記制御回路は非遮断用入力端子に入力された信号を異常と判定した場合は警報信号のみを出力し、遮断用入力端子に入力された信号を異常と判定した場合は警報信号と遮断信号の両方を出力することを特徴とする請求項１又は請求項２に記載の配線器具。
【請求項４】
前記コンセントは異常検出手段から出力される信号を受けて非遮断用信号又は遮断用信号を出力可能な信号出力手段と、該信号出力手段からの出力信号の選択を行う切替手段とを備えたことを特徴とする請求項１又は請求項２に記載の配線器具。
【発明の詳細な説明】
【技術分野】
【０００１】
本発明は、別体のコンセントの異常を受けてコンセントへの電源の供給を遮断したり報知を行う埋込型の配線器具に関する。
【背景技術】
【０００２】
壁面に埋め込んで使用される埋込型のコンセントは、略立方体状のケースの前面長手方向に差込プラグ接続部やアース端子などが１〜３個配置されている。また、例えば、トラッキング保護装置、過負荷保護装置、漏電保護装置、コード短絡保護装置、感震器などの異常検出機能を備えたコンセントは、コンセントの同一ケース内に異常検出手段とともに電源を遮断する遮断手段や報知を行う警報手段や異常検出手段の出力信号から異常を判定して遮断手段や警報手段を作動する制御回路が組み込まれていた（例えば、特許文献１参照。）。
【０００３】
【特許文献１】実開昭５７−１９９９７４号公報
【発明の開示】
【発明が解決しようとする課題】
【０００４】
このため、異常検出機能を備えたコンセントはケース内にこれらの部材を組み込むので差込プラグ接続部やアース端子などのモジュール１個分の配置スペースを使用してしまい、３個モジュール寸法のケースでは差込プラグ接続部を２個しか配置できず、アース端子を設ける場合には差込プラグ接続部が１個しか設けられないので使い勝手が悪くなるという問題があった。また、コンセント毎に遮断手段と警報手段と制御回路を設けるのでコストが高くなってしまっていた。
【課題を解決するための手段】
【０００５】
本発明は、請求項１に記載の発明によれば、電力線が接続される接続端子と、接続端子に電気的に接続されて別体のコンセントに電力を供給するための遮断用送り端子及び非遮断用送り端子と、別体のコンセントに設けられた異常検出手段の出力線が接続される入力端子と、入力端子に入力された信号を異常と判定した場合に警報信号と遮断信号を出力する制御回路と、制御回路の警報信号により作動する警報手段と、制御回路の遮断信号により遮断用送り端子への電力の供給を遮断する遮断手段とを備えたことを特徴とする。
【０００６】
請求項２に記載の発明によれば、請求項１に記載の配線器具において、制御回路の警報信号を外部に出力する警報出力端子を備えたことを特徴とする。
【０００７】
請求項３に記載の発明によれば、請求項１又は請求項２に記載の配線器具において、入力端子は非遮断用入力端子と遮断用入力端子とで成り、制御回路は非遮断用入力端子に入力された信号を異常と判定した場合は警報信号のみを出力し、遮断用入力端子に入力された信号を異常と判定した場合は警報信号と遮断信号の両方を出力することを特徴とする。
【０００８】
請求項４に記載の発明によれば、請求項１又は請求項２に記載の配線器具において、コンセントは異常検出手段から出力される信号を受けて非遮断用信号又は遮断用信号を出力可能な信号出力手段と、信号出力手段からの出力信号の選択を行う切替手段とを備えたことを特徴とする。
【発明の効果】
【０００９】
請求項１に記載の発明によれば、コンセントに遮断手段と警報手段と制御回路を設けないのでコンセントの製造コストを大幅に低減することができ、また、コンセントのケースに配置する差込プラグ接続部やアース端子の個数を減少させることなく最大数配置することができ、コンセントの異常時に電力の供給を遮断するか遮断しないか選択できるという効果がある。
【００１０】
請求項２に記載の発明によれば、請求項１に記載の発明の効果に加えて、配線器具から離れた場所でコンセントの異常を検知することができるという効果がある。
【００１１】
請求項３に記載の発明によれば、請求項１又は請求項２に記載の発明の効果に加えて、遮断するコンセントと遮断しないコンセントとを別々に制御することができるという効果がある。
【００１２】
請求項４に記載の発明によれば、請求項１又は請求項２に記載の発明の効果に加えて、遮断するコンセントと遮断しないコンセントとを別々に制御することができるという効果がある。
【発明を実施するための最良の形態】
【００１３】
配線器具は、電力線が接続される接続端子と、接続端子に電気的に接続されて別体のコンセントに電力を供給するための非遮断用送り端子及び遮断用送り端子と、別体のコンセントに設けられた異常検出手段の出力線が接続される入力端子と、入力端子から入力された信号を異常と判定した場合に警報信号と遮断信号を出力する制御回路と、制御回路の警報信号により作動する警報手段と、制御回路の遮断信号により遮断用送り端子への電力の供給を遮断する遮断手段とを備えて構成する。
【実施例１】
【００１４】
本発明に係る配線器具の実施例１を図１及び図２の添付図面に基づいて説明する。
【００１５】
配線器具１は、電力線２，２が接続される接続端子３，３と、接続端子３，３と電気的に接続されて複数のコンセント２１（２１ａ，２１ｂ，２１ｃ）に電力を供給するための遮断用送り端子４ａ，４ａ及び非遮断用送り端子４ｂ，４ｂと、コンセント２１から出力される信号を入力する入力端子６と、入力端子６から入力された信号が異常であるかどうかを判定して異常である場合に信号を出力する制御回路８と、制御回路８の出力信号により作動する警報手段９と、制御回路８の出力信号により遮断用送り端子４ａ，４ａへの電力の供給を遮断する遮断手段１０とを備えて構成し、３個モジュール寸法に形成されたケース１１に各部材を収納している。
【００１６】
また、コンセント２１は配線器具１の非遮断用送り端子４ａ，４ａと遮断用送り端子４ｂ，４ｂの何れかに接続された送り線２２，２２が接続される接続端子２３ａ，２３ａと、接続端子２３ａ，２３ａと電気的に接続される送り接続端子２３ｂ，２３ｂ及び差込プラグ接続部２４，２４、２４，２４と、差込プラグ接続部２４，２４、２４，２４に接続される電源プラグの栓刃間に発生するトラッキングを検出するために各差込プラグ接続部２４，２４、２４，２４に設けられた異常検出手段としてのセンサ２５，２５と、センサ２５，２５による検出信号を外部に出力するセンサ出力端子２６ａと、センサ出力端子２６ａと電気的に接続されたセンサ出力送り端子２６ｂとを備えて構成し、３個モジュール寸法に形成されたケース２７に各部材を収納している。配線器具１及びコンセント２１は取付枠１５を介して単独又は並設して壁に埋め込んで設けられる。
【００１７】
次に配線器具１とコンセント２１の配線について説明する。配線器具１とコンセント２１の接続はコンセント２１の異常時に電力の供給を遮断するか遮断しないかによって接続が異なる。コンセント２１に異常が発生した際に電力の供給を遮断したくない場合は、図２のコンセント２１ａの配線のように、コンセント２１ａの接続端子２３ａ，２３ａと配線器具１の非遮断用送り端子４ａ,４ａとを送り線２２，２２により接続し、コンセント２１ａのセンサ出力端子２６ａと配線器具１の入力端子６とを信号線２８により接続する。また、コンセント２１ａに異常が発生した際に電力の供給を遮断したい場合は、図２のコンセント２１ｂ，２１ｃのように配線する。コンセント２１ｂは接続端子２３ａ，２３ａと配線器具１の遮断用送り端子４ｂ，４ｂとを送り線２２，２２により接続し、コンセント２１ｂのセンサ出力端子２６ａと配線器具１の入力端子６とを接続する。しかし、配線器具１の入力端子６は既にコンセント２１ａのセンサ出力端子２６ａから信号線２８が接続されているため、コンセント２１ｂのセンサ出力端子２６ａとコンセント２１ａのセンサ出力送り端子２６ｂとを信号線２８により接続し、コンセント２１ａを経由して配線器具１の入力端子６に信号が入力されるようにする。また、コンセント２１ｃはコンセント２１ｂに増設するように、コンセント２１ｃの接続端子２３ａ，２３ａとコンセント２１ｂの送り接続端子２３ｂ，２３ｂとを送り線２２，２２により接続し、コンセント２１ｃのセンサ出力端子２６ａとコンセント２１ｂのセンサ出力送り端子２６ｂとを接続する。
【００１８】
こうして接続された配線器具１及びコンセント２１の動作について説明する。コンセント２１ａ，２１ｂ，２１ｃは何れも配線器具１を介して電力が供給され、差込プラグ接続部２４に電源プラグを差し込むことによって機器に電力を供給できるようになっている。そして、差込プラグ接続部２４に電源プラグを差し込んで長期間電源プラグを抜き差しせずに放っておくと電源プラグに塵埃が堆積し、塵埃に水分が含まれると電源プラグの栓刃間が導通してトラッキングが発生する。
【００１９】
このトラッキングがコンセント２１ａ，２１ｂ，２１ｃの何れかにおいて発生した場合、センサ２５がこれを検出してセンサ出力端子２６ａから信号線２８を介して配線器具１の入力端子６に検出信号が入力される。検出信号は制御回路８で異常であるかどうかが判定され、異常であると判定された場合は制御回路８から警報信号と遮断信号が出力され、警報信号により警報手段９が作動し、警報音が鳴動して異常が発生したことを報知する。また、遮断信号により遮断手段１０が作動して遮断用送り端子４ｂ，４ｂへの電力の供給が遮断され、遮断用送り端子４ｂ，４ｂに接続されたコンセント２１ｂ，２１ｃは電力の供給が遮断される。なお、非遮断用送り端子４ａ，４ａへの電力の供給は遮断されないので非遮断用送り端子４ａ，４ａに接続されたコンセント２１ａは電力が供給され続ける。
【００２０】
尚、本実施例においてコンセントに設けられた異常検出手段はトラッキングを検出するようになっているが、過負荷や漏電やコード短絡や地震や加熱などを検知するものであっても良く、また、コンセントは２組の差込プラグ接続部しか設けられていないが、差込プラグ接続部を３組にしたり、アース端子を設けるなどこれらの組み合わせについて限定はない。また、本実施例では配線器具の非遮断用送り端子にコンセントを１台接続し、遮断用送り端子にコンセントを２台接続しているが、コンセントの数量は増減することが可能である。また、本実施例では遮断用送り端子と非遮断用送り端子を各コンセント１台分、入力端子を１個だけ設けてあるが、図３に示すように各コンセントを個別に接続できるように複数設けても良く、その他の構成及び構造について本発明の趣旨を逸脱しない範囲において適宜に変更して実施することが可能である。
【実施例２】
【００２１】
本発明に係る配線器具の実施例２を図４の添付図面に基づいて説明する。尚、実施例１と同一部分は同一符号を付して説明を省略する。
【００２２】
本実施例では配線器具１が制御回路８から出力される警報信号を外部に出力する警報出力端子１２を備えている点が実施例１と異なっている。これにより、配線器具１から離れた場所に信号を出力することができ、配線器具１から離れた場所でコンセント２１の異常を検知することができる。
【実施例３】
【００２３】
本発明に係る配線器具の実施例３を図５の添付図面に基づいて説明する。尚、実施例１又は実施例２と同一部分は同一符号を付して説明を省略する。
【００２４】
本実施例では配線器具１の入力端子６が非遮断用入力端子６ａと遮断用入力端子６ｂとで成っている点が実施例１又は実施例２と異なっている。
【００２５】
非遮断用入力端子６ａは入力された信号が制御回路８によって異常と判定された場合に制御回路８から警報信号のみ出力され、遮断用入力端子６ｂは入力された信号が制御回路８によって異常と判定された場合に制御回路８から警報信号と遮断信号の両方を出力するようになっている。従って、コンセント２１に異常が発生した際に電力の供給を遮断したくないコンセント２１ａはセンサ出力端子２６ａと非遮断用入力端子６ａとを信号線２８により接続し、コンセント２１に異常が発生した際に電力の供給を遮断したいコンセント２１ｂはセンサ出力端子２６ａと遮断用入力端子６ｂとを信号線２８により接続している。また、コンセント２１ｃはセンサ出力端子２６ａをコンセント２１ｂのセンサ出力送り端子２６ｂと接続し、コンセント２１ｂを経由して配線器具１の遮断用入力端子６ｂに信号が入力されるようになっている。
【００２６】
こうして接続されたコンセント２１ａにおいてトラッキングが発生した場合、センサ２５がこれを検出してセンサ出力端子２６ａから信号線２８を介して配線器具１の非遮断用入力端子６ａに検出信号が入力される。検出信号は制御回路８で異常であるかどうかが判定され、異常であると判定された場合は制御回路８から警報信号のみが出力され、警報信号により警報手段１０が作動し、警報音が鳴動して異常が発生したことを報知する。このとき、非遮断用送り端子４ａ，４ａ及び遮断用送り端子４ｂ，４ｂへの電力の供給は遮断されないのでコンセント２１ａ，２１ｂ，２１ｃは電力が供給され続ける。
【００２７】
また、コンセント２１ｂ又はコンセント２１ｃにおいてトラッキングが発生した場合、センサ２５がこれを検出してセンサ出力端子２６ａから信号線２８を介して配線器具１の遮断用入力端子６ｂに検出信号が入力される。検出信号は制御回路８で異常であるかどうかが判定され、異常であると判定された場合は制御回路８から警報信号と遮断信号が出力され、警報信号により警報手段９が作動し、警報音が鳴動して異常が発生したことを報知する。また、遮断信号により遮断手段１０が作動して遮断用送り端子４ｂ，４ｂへの電力の供給が遮断され、遮断用送り端子４ｂ，４ｂに接続されたコンセント２１ｂ，２１ｃは電力の供給が遮断される。なお、非遮断用送り端子４ａ，４ａへの電力の供給は遮断されないので非遮断用送り端子４ａ，４ａに接続されたコンセント２１ａは電力が供給され続ける。
【００２８】
このため、実施例１又は実施例２の配線器具ではコンセント２１ａで異常が発生した場合に異常が発生していないコンセント２１ｂ，２１ｃの電力の供給が遮断されてしまうが、本実施例ではコンセント２１ａで異常が発生した場合に異常が発生していないコンセント２１ｂ，２１ｃへの電力の供給は遮断されることがなく、遮断するコンセントと遮断しないコンセントとを別々に制御することができる。
【実施例４】
【００２９】
本発明に係る配線器具の実施例４を図６の添付図面に基づいて説明する。尚、実施例１又は実施例２と同一部分は同一符号を付して説明を省略する。
【００３０】
本実施例ではコンセント２１はセンサ２５から出力される信号を受けて非遮断用信号又は遮断用信号を出力可能な信号出力手段２９と、信号出力手段２９からの出力信号の選択を行う切替手段としてのスイッチ３０とを備えている点が実施例１又は実施例２と異なっている。
【００３１】
コンセント２１ａは異常時に電源の供給を遮断したくないのでスイッチ３０を非遮断用信号が出力されるように選択し、コンセント２１ｂ，２１ｃは異常時に電源の供給を遮断したいのでスイッチ３０を遮断用信号が出力されるように選択する。
【００３２】
このように構成したコンセント２１ａにおいてトラッキングが発生した場合、センサ２５がこれを検出すると信号出力手段２９から非遮断用信号が出力され、非遮断用信号はセンサ出力端子２６ａから信号線２８を介して配線器具１の入力端子６に入力される。非遮断用信号は制御回路８で異常であるかどうかが判定され、異常であると判定された場合は制御回路８から警報信号のみが出力され、警報信号により警報手段１０が作動し、警報音が鳴動して異常が発生したことを報知する。このとき、非遮断用送り端子４ａ，４ａ及び遮断用送り端子４ｂ，４ｂへの電力の供給は遮断されないのでコンセント２１ａ，２１ｂ，２１ｃは電力が供給され続ける。
【００３３】
また、コンセント２１ｂ又はコンセント２１ｃにおいてトラッキングが発生した場合、センサ２５がこれを検出すると信号出力手段２９から遮断用信号が出力され、遮断用信号はセンサ出力端子２６ａから信号線２８を介して配線器具１の入力端子６に検出信号が入力される。検出信号は制御回路８で異常であるかどうかが判定され、異常であると判定された場合は制御回路８から警報信号と遮断信号が出力され、警報信号により警報手段９が作動し、警報音が鳴動して異常が発生したことを報知する。また、遮断信号により遮断手段１０が作動して遮断用送り端子４ｂ，４ｂへの電力の供給が遮断され、遮断用送り端子４ｂ，４ｂに接続されたコンセント２１ｂ，２１ｃは電力の供給が遮断される。なお、非遮断用送り端子４ａ，４ａへの電力の供給は遮断されないので非遮断用送り端子４ａ，４ａに接続されたコンセント２１ａは電力が供給され続ける。
【００３４】
このため、実施例１又は実施例２の配線器具ではコンセント２１ａで異常が発生した場合に異常が発生していないコンセント２１ｂ，２１ｃの電力の供給が遮断されてしまうが、本実施例ではコンセント２１ａで異常が発生した場合に異常が発生していないコンセント２１ｂ，２１ｃへの電力の供給は遮断されることがなく、遮断するコンセントと遮断しないコンセントとを別々に制御することができる。
【図面の簡単な説明】
【００３５】
【図１】本発明の実施例１に係る配線器具とコンセントを示す説明図である。
【図２】本発明の実施例１に係る配線器具とコンセントを示すブロック図である。
【図３】本発明の実施例１に係る配線器具の変形実施例を示すブロック図である。
【図４】本発明の実施例２に係る配線器具とコンセントを示すブロック図である。
【図５】本発明の実施例３に係る配線器具とコンセントを示すブロック図である。
【図６】本発明の実施例４に係る配線器具とコンセントを示すブロック図である。
【符号の説明】
【００３６】
１    配線器具
３    接続端子
４ａ    遮断用送り端子
４ｂ    非遮断用送り端子
６    入力端子
８    制御回路
９    遮断手段
１０    警報手段
２１    コンセント
２２    送り線
２３ａ    接続端子
２３ｂ    送り接続端子
２４    差込プラグ接続部
２５    センサ
２６ａ    センサ出力端子
２６ｂ    センサ出力送り端子
２８    信号線
【図１】
2008016358.tif 000003
【図２】
2008016358.tif 000004
【図３】
2008016358.tif 000005
【図４】
2008016358.tif 000006
【図５】
2008016358.tif 000007
【図６】
2008016358.tif 000008